(57)【要約】【課題】  回路基板を覆うカバーの引出口を大きくしてもカバー内の回路基板や電子部品に触れることがないようにすると共に、引出口より引き出される配線コード群が、簡単には回路基板とのコネクタから外れないようにする。【解決手段】  電子部品２４を搭載した回路基板２３をカバー３１で覆い、このカバーに設けた引出口３４より配線コード群３３を外部へ引き出してマッサージ駆動部と接続するもので、カバー３１をベース板３０上に取り付け、カバーのベース板側より切り欠いて前記引出口３４を形成し、ベース板３０上の引出口内あるいは引出口の近傍に、ホルダー３５を取り付け、このホルダーに、配線コード群３３をコードバンド３９にて固定する。【選択図】    図４
2005204809.tif 000002
【特許請求の範囲】
【請求項１】
電子部品を搭載した回路基板をカバーで覆い、該カバーに設けた引出口より配線コード群を外部へ引き出してマッサージ駆動部と接続したものにおいて、前記カバーをベース板上に取り付け、前記カバーの前記ベース板側より切り欠いて前記引出口を形成し、前記ベース板上の前記引出口内にホルダーを取り付け、該ホルダーに、前記配線コード群を締結部材にて固定してなるマッサージ機。
【請求項２】
電子部品を搭載した回路基板をカバーで覆い、該カバーに設けた引出口より配線コード群を外部へ引き出してマッサージ駆動部と接続したものにおいて、前記カバーをベース板上に取り付け、前記カバーの前記ベース板側より切り欠いて前記引出口を形成し、前記ベース板上の前記引出口近傍にホルダーを取り付け、該ホルダーに、前記配線コード群を締結部材にて固定してなるマッサージ機。
【請求項３】
前記ホルダーの前記回路基板側に、回路基板よりも高い位置までコード載置壁を形成してなる請求項１又は請求項２に記載のマッサージ機。
【請求項４】
前記締結部材はコードバンドより構成してなる請求項１乃至請求項３のいずれかに記載のマッサージ機。
【請求項５】
座部の後方に起倒自在に連結された背凭れ部と座部の前方に回動自在に連結されたフットレストを具え、これら背凭れ部及び／又はフットレストに被施療者をマッサージするマッサージ装置を設け、このマッサージ装置を前記マッサージ駆動部により駆動するようにした請求項１乃至請求項４のいずれかに記載のマッサージ機。
【請求項６】
前記回路基板を覆ったカバーを前記座部の下方に配置してなる請求項５に記載のマッサージ機。
【発明の詳細な説明】
【技術分野】
【０００１】
本発明は、マッサージ機の配線コード処理に関するものである。
【背景技術】
【０００２】
マッサージ機はさまざまなタイプがあり、例えば、座部の後方に背凭れ部を起倒自在に連結し、座部の前方にフットレストを回動自在に連結し、これら背凭れ部やフットレスト内に被施療者をマッサージするマッサージ装置を内蔵した所謂椅子式マッサージ機が広く知られている。このようなマッサージ機では、マッサージ装置を駆動するマッサージ駆動部を制御するために、多くの電子部品や装置が使用され、これらを電気的に制御するための回路基板や電子部品は、座部の下方空間に配置されることが多い。(例えば、特許文献１参照)。
【特許文献１】特開２００２−２３３５０５号公報
【発明の開示】
【発明が解決しようとする課題】
【０００３】
ところで回路基板や電子部品は、外的要因からの保護するため、またこれらが万一燃焼した場合の周囲への延焼を抑えるために通常はカバーで覆われており、このカバーに設けた引出口より配線コード群を引き出してマッサージ駆動部と接続している。カバーの引出口は、そこを通して中の回路基板や電子部品に手指で触れることができないようにしなければならないので、大きくすることはできず、そのため引出口に配線コードを通し難いという問題があった。
【０００４】
また配線コード群に引っ張る力が加わると、回路基板とのコネクタに直接この力が加わってコネクタから抜けることもあった。
【０００５】
本発明の目的は、カバーの引出口を大きくしても引出口よりカバー内の回路基板や電子部品に触れることができないようにすると共に、引出口より引き出される配線コード群に引っ張る力が加わっても、簡単には配線コードがコネクタから外れることのないようにしたマッサージ機を提供することである。
【課題を解決するための手段】
【０００６】
上記課題を解決するために本発明は、電子部品を搭載した回路基板をカバーで覆い、このカバーに設けた引出口より配線コード群を外部へ引き出してマッサージ駆動部と接続したものにおいて、前記カバーをベース板上に取り付け、前記カバーのベース板側より切り欠いて前記引出口を形成し、ベース板上の前記引出口内にホルダーを取り付け、このホルダーに、配線コード群を締結部材にて固定したものである。
【０００７】
また本発明は、電子部品を搭載した回路基板をカバーで覆い、このカバーに設けた引出口より配線コード群を外部へ引き出してマッサージ駆動部と接続したものにおいて、前記カバーをベース板上に取り付け、前記カバーのベース板側より切り欠いて前記引出口を形成し、ベース板上の前記引出口の近傍にホルダーを取り付け、このホルダーに、配線コード群を締結部材にて固定したものである。
【０００８】
本発明はさらに、前記ホルダーの回路基板側に、回路基板よりも高い位置までコード載置壁を形成したものである。
【０００９】
具体的には、前記締結部材はコードバンドより構成したものである。
【発明の効果】
【００１０】
本発明によれば、カバーの引出口をベース板側より切り欠いて形成し、ベース板上の引出口内に又は引出口の近傍にホルダーを取り付け、このホルダーに、配線コード群を締結部材にて固定したので、引出口を大きくしても、引出口からカバー内への手指の侵入がホルダーによって阻止でき、回路基板や電子部品に触わることはできず、安全性を確保できる。
【００１１】
また引出口はカバーのベース板側より切り欠いて形成されているので、カバーの取付は、ベース板上に上から被せるだけでよく、引出口に配線コード群を通す必要はなく、組み立てが簡単に行える。
【００１２】
またホルダーに配線コード群を締結部材によって固定しているので、配線コード群を引っ張ってもホルダーで受け止めることができ、配線コードがコネクタから外れることを防止できる。
【００１３】
また、ホルダーの回路基板側に、回路基板よりも高い位置までコード載置壁を形成すれば、配線コード群に下向きの引っ張る力が加わっても、配線コード群はコード載置壁により受け止められて回路基板に接触することなく、配線コード群の接触によって擦られて回路基板のパターンが剥離されるというようなこともない。
【発明を実施するための最良の形態】
【００１４】
以下、本発明を、背凭れ部やフットレストにマッサージ装置を内蔵した椅子式のマッサージ機を例として説明する。ここで便宜上、椅子に座った被施療者の右手側を右方、左手側を左方、胸側を前方、背中側を後方とする。図１は椅子式マッサージ機１の右前方から見た斜視図、図２は同マッサージ機の左後方から見た斜視図で、後述する左側の側板８を外した状態である。
【００１５】
椅子式マッサージ機１は、被施療者が腰掛ける座部２の後方に背凭れ部３、前方に被施療者のふくらはぎを載置するふくらはぎ載置部４とふくらはぎ載置部４の下端に連結される被施療者の足先を置く足先載置部５からなるフットレスト６、左右のアームレスト７、アームレスト７が取付けられる左右の側板８、これら座部２、背凭れ部３、フットレスト６、側板８等を支持する角材やパイプ材からなるフレーム構造９を具えて構成される。
【００１６】
背凭れ部３は、座部２に対して起倒可能且つ任意の位置で位置決め可能に連結される。ふくらはぎ載置部４は、座部２の前方に上下に回動自在に且つ任意の位置で位置決め可能に連結される。また、足先載置部５は、ふくらはぎ載置部４に回動自在に連結される。
【００１７】
背凭れ部３内には、被施療者の肩、背中、腰等を揉んだり叩いたりする公知のマッサージ装置（図示せず）が、背凭れ部３に沿って昇降可能に配備される。また背凭れ部３の上部には前記枕９１が取り付けられている。座部２の下方空間の前方は化粧カバー９０で覆われている。化粧カバー９０は、補強のため水平方向に複数の突部が形成されている
ふくらはぎ載置部４は、図１に示すように、被施療者の左右のふくらはぎを夫々挿入する一対の樋状凹部１０、１０を有している。各樋状凹部１０の内側面には、ふくらはぎを側面から押圧する側面エアバック（ふくらはぎ載置部４全体を覆う布カバーにより隠れて見えない）が配備され、この側面エアバックは、エアポンプ２０（図４参照）からの空気の供給を受けることにより膨張して、ふくらはぎを側方から押圧し、供給された空気を排気することにより収縮して押圧を解除し、この膨張収縮を繰り返すことによりふくらはぎをマッサージする。
【００１８】
足先載置部５も、図１に示すように、被施療者の左右の足先（踝よりも先の部分）を夫々挿入する一対の樋状凹部１１、１１を有している。各樋状凹部１１の内側面には、足先を側面から押圧する側面エアバック（足先載置部５全体を覆う布カバーにより隠れて見えない）が配備され、この側面エアバックも、エアポンプ２０からの空気の供給を受けることにより膨張して、足先を側方から押圧し、供給された空気を排気することにより収縮して押圧を解除し、この膨張収縮を繰り返すことにより足先をマッサージする。これらの側面エアバックがフットレスト６のマッサージ装置となる。
【００１９】
図２において、２１は、座部２の裏面のフレーム９と背凭れ部３の下端間に設けられた背凭れ部３を起倒させる周知のガススプリングよりなる伸縮装置で、伸びると背凭れ部３を起こし、縮むと背凭れ部３を倒す。２２は、フットレスト６と下側のフレーム９との間に設けられた周知のガススプリングよりなる伸縮装置で、伸びるとフットレスト６を上方へ回動して持ち上げ、縮むと下方へ回動して図１の状態に戻すものである。フットレスト６が回動しても足先載置部５は略水平状態を保ったまま持ち上げられる。
【００２０】
座部２の下方空間の右寄りには、背凭れ部３やフットレスト６内のマッサージ装置を電気的に制御する回路基板２３や電子部品２４さらには、前記エアポンプ２０や電磁弁２５等を内蔵した制御ボックス２６が配置されている。制御ボックス２６は、図３や図４に示す如く、上下２段構造になっている。
【００２１】
下側のボックス２７は、鋼板で形成されて下側のフレーム９上に設置され、内部に、前記エアポンプ２０や、エアポンプ２０から前記側面エアバックへの空気供給路に介在されて側面エアバックへの空気の供給及び側面エアバックからの空気の排気を制御する複数の電磁弁２５や、トランス２８等が配置されている。
【００２２】
上側のボックス２９は、下側ボックス２７の天面３０と、天面３０上に取り付けられる樹脂製のカバー３１より構成され、内部に、電子部品２４を搭載した回路基板２３が天面３０から浮かせた状態で取り付けられている。ここで天面３０が、回路基板２３やカバー３１を取り付けるベース板となる。
【００２３】
このように制御ボックス２６を上下２段構造にすることにより、設置スペースを最小限に抑えることができ（本実施例では座部２の下方空間の右側に寄せることができ）残りのスペースに、背凭れ部３やフットレスト６を回動させるガススプリング２１、２２を無理なく配置できる。またエアポンプ２０は、下側の鋼板製ボックス２７で覆われているので、騒音が吸収されて防音効果を向上させることができ、またエアポンプ２０による振動が回路基板２３へ伝わろうとするが、下側ボックス２７により吸収して、回路基板２３へ伝わる振動を弱めて回路基板２３を保護することができる。
【００２４】
前記上側の制御ボックス２９からは、回路基板２３上の複数のコネクタと接続された配線コード群３３が外部へ引き出され、マッサージ装置のモータ等からなるマッサージ駆動部に接続される。カバー３１には、配線コード群３３を引き出すための引出口３４が形成される。この引出口３４は、カバー３１の下端より（前記ベース板３０側より）切り欠いて形成される。
【００２５】
ベース板３０上の引出口３４内に位置する箇所には、図５に示すような樹脂製のホルダー３５が取り付けられている。ホルダー３５は、その下端２箇所より突接した突起３６をベース板３０に設けた穴に嵌め込んで位置決したのち、ネジ３７でベース板３０に取り付けられる。ホルダー３５の回路基板２３側には、回路基板２３より高い位置までコード載置壁３８が突設されている。（図４の円内拡大図参照）またホルダー３５の下面には、後述するコードバンド３９のガイド溝４０が形成されている。（図５参照）
而して配線コードは束にしてホルダー３５にコードバンド３９でもって固定され、一つの配線コード群３３となる。コードバンド３９はホルダー３５下面の溝４０に嵌っているので、ずれることなはない。そしてカバー３１をベース板３０上に取り付ける。この際、ホルダー３５は引出口３４内に位置する。つまり、配線コード群３３は、ホルダー３５と引出口３４より構成される狭い空間を通って引き出される。
【００２６】
このような構成にしたことにより、引出口３４を大きくしても、引出口３４からカバー３１内への手指の侵入がホルダー３５によって阻止でき、回路基板２３や電子部品２４に触わることはできず、安全性を確保することができる。
【００２７】
また引出口３４はカバー３１のベース板側より切り欠いて形成されているので、組み立てはカバー３１を上から被せるだけでよく、引出口３４に配線コード群３３を通す必要はなく、簡単に行える。
【００２８】
またホルダー３５に配線コード群３３を締結部材であるコードバンド３９によって固定しているので、配線コード群３３を引っ張ってもホルダー３５で受け止めることができ、配線コードがコネクタから外れることを防止できる。
【００２９】
また、配線コード群３３に下向きの引っ張る力が加わっても、配線コード群３３はコード載置壁３８により受け止められて回路基板２３に接触することがない。配線コード群３３は、多くのコードを束ねているので剛体のようになっており、これが回路基板２３に接触すると、回路基板２３は配線コード群３３によって擦られて回路基板２３のパターンが剥離されるというようこともあるが、載置壁３８によってそのようなこともなく、回路基板２３を保護することができる。
【００３０】
以上の実施例では、ホルダー３５をベース板３０上の引出口３４内に位置するよう取り付けたが、ベース板３０の引出口３４の近傍（例えばすぐ外側）に取り付けても同様の効果がいえる。
【産業上の利用可能性】
【００３１】
本発明の活用例として、椅子式マッサージ機の他に、ベッド式等の全てのマッサージ機に用いることもできる。また、本発明に開示された配線コード処理の内容は、マッサージ機以外の電気制御する機器に活用することができる。
【図面の簡単な説明】
【００３２】
【図１】本発明の実施例として示した椅子式マッサージ機の右前方から見た斜視図である。
【図２】同マッサージ機の左後方から左側の側板を外した状態の斜視図である。
【図３】同マッサージ機の制御ボックスの斜視図である。
【図４】同制御ボックスの縦断面図と、その円内拡大図である。
【図５】同制御ボックスに用いられるホルダーの斜視図である。
【符号の説明】
【００３３】
２４    電子部品
２３    回路基板
３１    カバー
３４    引出口
３２    配線コード群
３０    天面（ベース板）
３５    ホルダー
３９    コードバンド（締結部材）
３８    コード載置壁
【図１】
2005204809.tif 000003
【図２】
2005204809.tif 000004
【図３】
2005204809.tif 000005
【図４】
2005204809.tif 000006
【図５】
2005204809.tif 000007